(57)【要約】【課題】  スライドファスナ周りの強度を長期にわたって維持し得るスライドファスナの取付構造の提供。【解決手段】  生地の開口部近傍の裏側に補強生地が重ねられ、かつ該補強生地の裏側にスライドファスナのテープ部が重ねられて、生地および補強生地の開口からスライドファスナのスライダおよびエレメントが露出するようにスライドファスナを設ける取付構造であって、補強生地における生地側の表面に接着剤が施されて接着剤が加熱溶融されて生地に接着されるとともに、生地、補強生地、およびテープ部は縫着によって一体化され、生地および補強生地の同位置に形成された線状の裁断部を生地においては裏側に折返して折片が形成され、補強生地においては表側に折返して折片が形成され、折片どうしを縫着することで開口が形成されて、開口にスライドファスナのスライダおよびエレメントが露出するよう構成されている。【選択図】  図１
2011006817.tif 000002
【特許請求の範囲】
【請求項１】
生地の開口部近傍の裏側に補強生地が重ねられ、かつ該補強生地の裏側にスライドファスナのテープ部が重ねられて、生地および補強生地の開口からスライドファスナのスライダおよびエレメントが露出するようにスライドファスナを設ける取付構造であって、
前記補強生地における生地側の表面に接着剤が施されて接着剤が加熱溶融されて生地に接着されるとともに、前記生地、補強生地、およびテープ部は縫着によって一体化され、生地および補強生地の同位置に形成された線状の裁断部を生地においては裏側に折返して折片が形成され、補強生地においては表側に折返して折片が形成され、折片どうしを縫着することで前記開口が形成されて、該開口にスライドファスナのスライダおよびエレメントが露出するよう構成されていることを特徴とするスライドファスナの取付構造。
【請求項２】
補強生地は、生地に比べて肉薄のフィルム状の生地本体の表面に接着剤が施されていることを特徴とする請求項１記載のスライドファスナの取付構造。
【発明の詳細な説明】
【技術分野】
【０００１】
本発明は、釣行等に着用される衣服に関し、詳細にはスライドファスナの取付構造に関する。
【背景技術】
【０００２】
従来から釣用の衣服などには、ポケットをスライドファスナで開閉するようにした構成がある。
下記特許文献１には、生地の裏面に合成樹脂テープを介してスライドファスナのテープ部を重ねた状態で生地、合成樹脂テープおよびスライドファスナを一体化させた構成の取付構造が開示されている。
また、合成樹脂テープを溶融固化させて生地の裏面に溶着されており、生地および合成樹脂テープはレーザー光を貫通させることで線状の切断部が形成されており、レーザー光の熱により生地および合成樹脂テープの切断部が溶融固化してほつれが抑えられている。そして、スライドファスナのスライダが切断部の溶融固化部の間を移動することで、スライドファスナが開閉される。
【先行技術文献】
【特許文献】
【０００３】
【特許文献１】特許第３４６７４９４号公報
【発明の概要】
【発明が解決しようとする課題】
【０００４】
上記従来の構成のスライドファスナの取付構造では、切断部をレーザー光の熱により形成して生地の切断部を溶融固化しているが、スライダが切断部の溶融固化部の間を移動することで擦れるなどすると溶融固化部の固化状態が劣化し易く、そうなると生地の切断部にほつれが発生する。
また、合成樹脂テープは生地の裏面に溶融固化させて溶着されているが、溶融固化部をスライドファスナのスライダ側で覆うものがないので、スライダを移動させると、合成樹脂テープと生地との接合面がはがれ易く、長期的にはスライドファスナ周りの強度が低下し易い。
【０００５】
そこで本発明は上記課題に鑑み、スライドファスナ周りの強度を長期にわたって維持し得るスライドファスナの取付構造の提供を目的とする。
【課題を解決するための手段】
【０００６】
本発明は、生地の開口部近傍の裏側に補強生地が重ねられ、かつ該補強生地の裏側にスライドファスナのテープ部が重ねられて、生地および補強生地の開口からスライドファスナのスライダおよびエレメントが露出するようにスライドファスナを設ける取付構造であって、前記補強生地における生地側の表面に接着剤が施されて接着剤が加熱溶融されて生地に接着されるとともに、前記生地、補強生地、およびテープ部は縫着によって一体化され、生地および補強生地の同位置に形成された線状の裁断部を生地においては裏側に折返して折片が形成され、補強生地においては表側に折返して折片が形成され、折片どうしを縫着することで前記開口が形成されて、該開口にスライドファスナのスライダおよびエレメントが露出するよう構成されていることを特徴としている。
【０００７】
上記構成のように、開口は、線状の裁断部を生地においては裏側に折返して折片が形成され、補強生地においては表側に折返して折片が形成されて折片どうしを縫着することで形成されている。このため、開口にスライドファスナのスライダおよびエレメントを露出させた状態でスライダを移動させることで生地の開口縁にスライダが接触しても生地がほつれることがない。しかも生地と補強生地とは接着剤で接着されているとともにテープ部と重ねて縫着されているから、生地と補強生地の結合部分の強度が確保でき、さらに、折片どうしを縫着していることによりこの折片によって接着面が保護されているから、スライダを移動させてもこれによる影響を直接受けにくい。このため、生地と補強生地との接合状態を保護することができる。
【０００８】
本発明のスライドファスナの取付構造では、補強生地は、生地に比べて肉薄のフィルム状の生地本体の表面に接着剤が施されていることを特徴としている。
この構成によれば、スライドファスナ周りを厚くさせることなく、しかもスライドファスナ周りの強度を確保することができる。
【発明の効果】
【０００９】
本発明によれば、線状の裁断部を生地においては裏側に折返して折片を形成し、補強生地においては表側に折返して折片を形成して折片どうしを縫着することで開口を形成している。このため、開口にスライドファスナのスライダおよびエレメントを露出させた状態でスライダを移動させることで生地の開口縁にスライダが接触しても生地がほつれず、生地と補強生地とは接着剤で接着しているとともにテープ部と重ねて縫着しているから、生地と補強生地の結合部分の強度が確保でき、さらに、折片どうしを縫着していることによりこの折片によって接着面が保護されているから、スライダを移動させてもこれによる影響を直接受けにくく、したがって、生地と補強生地との接合状態を保護でき、長期にわたってスライドファスナ周りの強度を確保することができる。
【図面の簡単な説明】
【００１０】
【図１】本発明の実施形態のスライドファスナの取付構造を示す要部断面図
【図２】同じくスライドファスナの取付構造の製造途中の状態を示す断面図
【図３】同じくスライドファスナの取付構造の製造途中の状態を示す断面図
【図４】同じく生地にスライドファスナを取付けた状態の平面図
【発明を実施するための形態】
【００１１】
以下、本発明の実施形態に係るスライドファスナの取付構造を、図面に基づいて説明する。本発明のスライドファスナの取付構造は、釣用ウェアなどの衣服に好適に用いられる。図１は本発明の実施形態によるスライドファスナの取付構造を示す要部断面図、図２および図３は同じく製造途中の状態を示す断面図、図４は生地にスライドファスナを取付けた状態の平面図である。
【００１２】
図１に示すように、本発明の実施形態に係るスライドファスナ１の取付構造は、身頃生地２の開口３近傍の裏側に補強生地４が重ねられ、かつ補強生地４の裏側にスライドファスナ１のテープ部５が重ねられて、身頃生地２および補強生地４の開口３からスライドファスナ１のスライダ６およびエレメント７が露出するようにスライドファスナ１が設けられている。
【００１３】
補強生地４における身頃生地２側の表面全部に接着剤（接着剤層）８が施されて接着剤８が加熱溶融されて身頃生地２の裏側に接着されている。また、補強生地４の裏側にスライドファスナ１のテープ部５が重ねられて、身頃生地２、補強生地４、およびテープ部５は開口３の幅方向外側（後述の縫着部１１のさらに外側）で、縫着部１０によって一体化されている。
補強生地４は、身頃生地２に比べて肉薄のフィルム状の生地本体１２の表面に接着剤８が施された構成である。また、補強生地４の幅方向外側端部４ａはテープ部５の幅方向外側端部５ａに対して外側に延びている。
【００１４】
身頃生地２および補強生地４の開口３側には、それぞれ身頃側折片１３、補強側折片１４が形成されている。図１においては、身頃側折片１３および補強側折片１４は、それぞれ身頃生地２および補強生地４の同位置に形成された線状の裁断部１５，１６を折返して形成されており、身頃生地２においては裏側に折返して身頃側折片１３が形成され、補強生地４においては表側に折返して補強側折片１４が形成されている。また、身頃側折片１３および補強側折片１４は縫着部１１によって一体化されている。
【００１５】
身頃生地２、補強生地４、およびテープ部５を開口３の幅方向外側で一体化する縫着部１０の位置は、さらに具体的には、身頃側折片１３および補強側折片１４の生地端１３ａ，１４ａに対しても幅方向外側である。
図１において、符号２０はスライドファスナ１のスライダ６を移動することで開口３が開閉するポケットである。
【００１６】
上記構成のスライドファスナ１の取付構造では、身頃生地２および補強生地４の開口３からスライドファスナ１のスライダ６およびエレメント７が露出している。したがって、スライドファスナ１のスライダ６を移動させてスライドファスナ１を開閉させると、スライダ６の側面が開口３の縁部に接触して擦れたり、あるいは衣服の装着者の手指が開口３の縁部に接触して擦れたりする状態が発生する。
【００１７】
しかしながら、この構成では、身頃側折片１３および補強側折片１４は縫着部１１によって一体化された状態で、身頃生地２においては裏側に折返して身頃側折片１３が形成され、補強生地４においては表側に折返して補強側折片１４が形成されている。このため、身頃側折片１３および補強側折片１４の生地端１３ａ，１４ａ（裁断部１５，１６）はスライダ６に対して幅方向外側にあって、身頃生地２および補強生地４によって挟まれて身頃生地２および補強生地４に覆われた状態にある。このため、スライダ６に接触することがなく、スライダ６の移動によって開口３周辺の生地端１３ａ，１４ａがほつれることがない。
【００１８】
しかも、補強生地４の表面全部に接着剤８が施されて身頃生地２に熱溶着されているから、補強生地４と身頃生地２とは前後方向および幅方向の双方に確実に一体化されている。また、補強生地４の表面全部に接着剤８が施されているから、補強側折片１４は補強生地４に強固に一体化されている。さらに身頃生地２、補強生地４、およびテープ部５は縫着部１０によって確実に一体化されている。
したがって、開口３の縁部でのほつれが生じるのを防止できるとともに、スライドファスナ１周りの強度を長期にわたって確保することができる。
【００１９】
また、補強生地４は、身頃生地２に比べて肉薄のフィルム状の生地本体１２の表面に接着剤８が施された構成である。このため、スライドファスナ１周りの前後方向の厚みが厚くなるのが抑えられ、着心地が良好である。
【００２０】
上記構成のスライドファスナ１の取付構造は、例えば次のようにして容易に製作することができる。
身頃生地２となる生地（以下、単に身頃生地２という）に、開口３となる線状の裁断部１５を所定の長さにわたって形成する（図２参照）。なお、この場合、刃物による裁断が好ましい。
この裁断部１５を覆うように補強生地４となる生地（以下、単に補強生地４という）を身頃生地２に重ねる。このとき、補強生地４には裁断部１６はまだ形成しておかない。また、補強生地４はその接着剤８が上、すなわち身頃生地２と反対側になるように身頃生地２に重ねる。なお、補強生地４は、例えば矩形に形成したものを用いる。
続いて、裁断部１５を囲むように糸で縫着部１１を形成する。すなわちこの縫着部１１によって身頃生地２に対して補強生地４が固定される。さらに、補強生地４に裁断部１６を、裁断部１５と同じ位置に形成する。
【００２１】
次に、補強生地４をその外周部側（幅方向外側端部４ａ側）から裁断部１６、裁断部１５に通して、補強生地４を身頃生地２の裏側へ反転させる（図２の矢印参照）。このようにすることで、図３に示すように、補強生地４が身頃生地２の裏側に位置してしかも接着剤８を身頃生地２の裏に対向するようにすることができる。また、裁断部１５，１６がほぼ縫着部１１まで広げられて開口３が形成される。
【００２２】
このようにした態様で、接着剤８が溶融するように、身頃生地２に対して補強生地４を加熱圧着する。この時点で補強生地４は身頃生地２に対して確実に位置決めされた状態となり、しかも両者は確実に一体化されている。
次に、スライドファスナ１のスライダ６およびエレメント７が開口３から露出するようにテープ部５を補強生地４に重ねて、身頃側折片１３および補強側折片１４の生地端１３ａ，１４ａに対する幅方向外側で、身頃生地２、補強生地４およびテープ部５の三者を一体化するよう糸で縫着部１０を形成する。
【００２３】
このように、接着剤８が施されている補強生地４を身頃生地２に当てて接着剤８を溶融するように補強生地４と身頃生地２とを圧着することで、身頃生地２に対して補強生地４が密着され、これによって身頃側折片１３および補強側折片１４が偏平な状態で固定される。したがって、その後に行われるテープ部５との縫着作業がし易い。
【符号の説明】
【００２４】
１…スライドファスナ、２…身頃生地、３…開口、４…補強生地、４ａ…幅方向端部、５…テープ部、５ａ…幅方向端部、６…スライダ、７…エレメント、８…接着剤、１０…縫着部、１１…縫着部、１２…生地本体、１３…身頃側折片、１３ａ，１４ａ…生地端、１４…補強側折片、１５，１６…裁断部
【図１】
2011006817.tif 000003
【図２】
2011006817.tif 000004
【図３】
2011006817.tif 000005
【図４】
2011006817.tif 000006